(57)【要約】  本発明は、赤外線発生器付き洋便器に係り、一方の側面に赤外線発生器が配備された洋便器胴体と、赤外線発生器から照射された赤外線を透過させ得る材質からなるが、赤外線透過領域を穿孔せずに形成されるボウルと、リム導水管をそれぞれ別々に成形した後、それぞれ別々に成形された前記洋便器胴体に赤外線発生器とボウルとリム導水管を結合して形成することにより、ボウルを穿孔せずとも赤外線発生器を洋便器に設けやすいだけではなく、大小便などの排泄物が赤外線発生器に漏れることを防ぐことのできる赤外線発生器付き洋便器に関する。
2021523989.tif 000002
【特許請求の範囲】
【請求項１】
上部が開放され、一方の側面に赤外線発生器を配備するための開口部（１２０）が形成される洋便器胴体（１００）と、
前記洋便器胴体（１００）の内部に結合され、赤外線発生器（４００）から照射された赤外線を透過させ得る材質からなるが、赤外線発生器（４００）から照射された赤外線が透過される赤外線透過領域（２２０）を穿孔せずに形成されるボウル（２００）と、
前記ボウル（２００）が内部に結合された洋便器胴体（１００）の上部に結合されるリム導水管（３００）と、
を備え、
前記洋便器胴体（１００）と、ボウル（２００）及びリム導水管（３００）は、それぞれ別々に成形した後に一体に組み合わせて形成し、
前記洋便器胴体の開口部（１２０）に赤外線発生器（４００）が配備されることを特徴とする赤外線発生器付き洋便器。
【請求項２】
前記ボウル（２００）の上端の周りには洋便器胴体（１００）の上部面に結合される第１の折曲げ突起（２０１）が形成され、前記ボウル（２００）の下端の周りにはトラップ（１１０）の上端の内面に形成された段付部（１１１）に結合される第２の折曲げ突起（２０２）が形成されることを特徴とする請求項１に記載の赤外線発生器付き洋便器。
【請求項３】
前記洋便器胴体（１００）及びボウル（２００）の上部に結合されるリム導水管（３００）の下部の外側には、下部に向かって突出した段差が形成され、
前記段差によりリム導水管（３００）の下部の外側には第１の載置突起（３０１）が下部に向かって突設され、
前記第１の載置突起（３０１）の外側面は、洋便器胴体（１００）の外側面と同じ外面として形成されることを特徴とする請求項１に記載の赤外線発生器付き洋便器。
【請求項４】
前記洋便器胴体（１００）及びボウル（２００）の上部に結合されるリム導水管（３００）の下部の内側には、下部に向かって突出した第２の載置突起（３３０）が形成され、
前記第２の載置突起（３３０）の外面は、ボウル（２００）の上部の内面と接合され、
前記第２の載置突起（３３０）によりリム導水管（３００）が洋便器胴体（１００）及びボウル（２００）を包み込む形状に互いに結合されることを特徴とする請求項１に記載の赤外線発生器付き洋便器。
【請求項５】
前記洋便器胴体（１００）の内部の底面には、ボウル（２００）を支持する受け台（１５０）が配備され、
前記受け台（１５０）の上部にボウル（２００）とトラップ（１１０）を連結する連結具（１６０）が配備されることを特徴とする請求項４に記載の赤外線発生器付き洋便器。
【請求項６】
前記洋便器胴体（１００）及びリム導水管（３００）の接合面の外部の周りには、仕上げ部材（７００）が取り付けられることを特徴とする請求項１乃至請求項５のいずれか一項に記載の赤外線発生器付き洋便器。
【請求項７】
前記ボウル（２００）は、赤外線発生器（４００）から発せられた赤外線が透過される透明または半透明の有色または不透明の有色のうちのどちらか一方から形成されることを特徴とする請求項１乃至請求項５のいずれか一項に記載の赤外線発生器付き洋便器。
【請求項８】
前記ボウル（２００）に形成された半透明の有色または不透明の有色は、前記ボウル（２００）の内面または外面に赤外線発生物質をコートして形成されることを特徴とする請求項７に記載の赤外線発生器付き洋便器。
【請求項９】
前記ボウル（２００）に形成された半透明の有色または不透明の有色は、前記ボウル（２００）の射出成形の際に添加される赤外線発生物質により形成されることを特徴とする請求項７に記載の赤外線発生器付き洋便器。
【請求項１０】
前記ボウル（２００）は、ガラス、プラスチック、セラミックスのうちのいずれか一種の材質から形成されることを特徴とする請求項１乃至請求項５のいずれか一項に記載の赤外線発生器付き洋便器。
【請求項１１】
前記ボウル（２００）は、赤外線透過領域（２２０）と赤外線透過領域（２２０）を除く領域をボウルの成形過程で一体形に成形するが、前記赤外線透過領域（２２０）は、赤外線発生器（４００）から放出される高温の赤外線に耐え得る耐熱性材質から成形し、前記赤外線透過領域（２２０）を除く領域は、プラスチックまたはセラミックスの材質から成形することを特徴とする請求項１乃至請求項５のいずれか一項に記載の赤外線発生器付き洋便器。
【請求項１２】
前記ボウル（２００）の内部面のうち、赤外線透過領域（２２０）が形成された領域は平面として形成され、赤外線透過領域（２２０）を除く領域は、凹状の弧状を呈することを特徴とする請求項１乃至請求項５のいずれか一項に記載の赤外線発生器付き洋便器。
【請求項１３】
前記ボウル（２００）の内部面のうち、赤外線透過領域（２２０）が形成された領域は、凸状レンズのように凸状に形成され、赤外線透過領域（２２０）を除く領域は、凹状の弧状を呈することを特徴とする請求項１乃至請求項５のいずれか一項に記載の赤外線発生器付き洋便器。
【請求項１４】
前記赤外線発生器（４００）は、外付けカバー（５００）の内側に配備され、
前記赤外線発生器（４００）を内側に備えた外付けカバー（５００）が開口部（１２０）に配備されることを特徴とする請求項１に記載の赤外線発生器付き洋便器。
【請求項１５】
前記外付けカバー（５００）の外周面には、前記開口部（１２０）に結合・固定できるように結合手段が配備され、
前記開口部（１２０）の内面には、前記外付けカバー（５００）の外周面に形成された結合手段に対応する固定手段が配備されることを特徴とする請求項１４に記載の赤外線発生器付き洋便器。
【請求項１６】
前記開口部（１２０）には固定具（６００）がさらに配備され、
前記固定具（６００）に、赤外線発生器（４００）または赤外線発生器（４００）を内側に備えた外付けカバー（５００）が嵌合することを特徴とする請求項１に記載の赤外線発生器付き洋便器。
【請求項１７】
前記外付けカバー（５００）の外周面には、前記固定具（６００）に結合・固定できるように結合手段が配備され、
前記固定具（６００）の内面には、前記外付けカバー（５００）の外周面に形成された結合手段に対応する固定手段が配備されることを特徴とする請求項１６に記載の赤外線発生器付き洋便器。
【請求項１８】
前記結合手段は、前記外付けカバー（５００）の外周面に嵌合するゴム材質のパッキンまたは前記外付けカバー（５００）の外周面に突設された複数の突っ張り突起のうちのいずれか一つからなることを特徴とする請求項１５または請求項１７に記載の赤外線発生器付き洋便器。
【請求項１９】
前記結合手段は、締付けねじからなり、
前記固定手段は、結合手段の締付けねじに対応する締付けねじからなることを特徴とする請求項１５または請求項１７に記載の赤外線発生器付き洋便器。
【請求項２０】
前記結合手段は、締結溝からなり、
前記固定手段は、結合手段の締結溝に対応する締結突起からなることを特徴とする請求項１５または請求項１７に記載の赤外線発生器付き洋便器
【請求項２１】
前記結合手段は、磁石部材からなり、
前記固定手段は、結合手段の磁石部材に対応する金属部材（１２４）からなることを特徴とする請求項１５または請求項１７に記載の赤外線発生器付き洋便器。
【請求項２２】
前記結合手段は、
所定の深さに形成された複数の嵌入溝と、
前記嵌入溝にそれぞれ着脱自在に結合された円筒状のケースと、
前記ケースの内部において移動可能なように配設された加圧突起と、
前記加圧突起に加えられる衝撃により弾性作用を行うばねと、
からなることを特徴とする請求項１５または請求項１７に記載の赤外線発生器付き洋便器。
【請求項２３】
前記固定具（６００）は、
前記ボウル（２００）の赤外線透過領域（２２０）の周りを支持する支持部（６２０）と、
前記開口部（１２０）の周りに結合される段差（６１１）と、
を備えることを特徴とする請求項１６に記載の赤外線発生器付き洋便器。
【請求項２４】
前記固定具（６００）は、
前記開口部（１２０）の周りに結合される段差（６１１）を有する係止部（６１２）が形成された胴体部（６１０）と、
前記胴体部（６１０）の端部から外側に延出してボウル（２００）の下部面に面接触される支持部（６２０）と、
を備えることを特徴とする請求項１６に記載の赤外線発生器付き洋便器。
【請求項２５】
前記外付けカバー（５００）の外側面には、前記固定具（６００）の外側の端部が嵌合する嵌合溝（５２１）を有する外縁部（５２０）が形成されることを特徴とする請求項１６に記載の赤外線発生器付き洋便器。
【発明の詳細な説明】
【技術分野】
【０００１】
本発明は、赤外線発生器付き洋便器に係り、さらに詳しくは、ボウルを穿孔せずに赤外線発生器を洋便器に配備するために、一方の側面に赤外線発生器が配備された洋便器胴体と、赤外線発生器から照射された赤外線を透過させ得る材質からなるが、赤外線透過領域を穿孔せずに形成されるボウルと、リム導水管をそれぞれ別々に成形した後、それぞれ別々に成形された前記洋便器胴体に赤外線発生器とボウルとリム導水管を結合して形成したことを特徴とする赤外線発生器付き洋便器に関する。
【背景技術】
【０００２】
一般に、赤外線発生器付き洋便器は、使用者の生殖器及び肛門部位に赤外線を照射して各種の疾病を予防したり治療したりするために用いられる。
【０００３】
このような技術の一例が、大韓民国登録特許公報第１０−０７５５０８４号（特許文献１）と、大韓民国実用新案公報第２０−０４２５１７６号（特許文献２）に開示されている。
【０００４】
特許文献１には、内側の上端に係止片が形成される筐体と、前記筐体の下端部に一体に固定され、内部に赤外線ランプを取付け可能なソケットが形成されるソケットカバーと、前記筐体の内側の上端の係止片と係合する係合片を有し、洋便器胴体の内部に向かって前記赤外線ランプの赤外線を照射する放熱レンズが設けられる放熱レンズカバーと、前記放熱レンズと前記筐体との間に介装されて、前記洋便器胴体の内部との水密性を図る漏水防止パッキンと、を備える赤外線ランプ固定装置が洋便器胴体の一方の側に形成された取付孔に設けられる洋便器について開示されている。
【０００５】
特許文献２には、遠赤外線洋便器の遠赤外線ランプの固定構造において、洋便器１００と、前記洋便器１００の前面の下部に突出して遠赤外線が挿入される「Ｕ」字状の遠赤外線ランプ嵌入部１１０と、前記遠赤外線ランプ嵌入部１１０に組み込まれる遠赤外線ランプ固定装置と、前記洋便器１００の前面の下部の一方の側面に内設されたセンサー８０と、前記遠赤外線ランプ嵌入部１１０に嵌入し、遠赤外線ランプ固定装置により固定された遠赤外線ランプ６と、を備えてなることを特徴とする遠赤外線洋便器の遠赤外線ランプ固定構造について開示されている。
【０００６】
しかしながら、上述したような従来の技術は、洋便器本体の内壁に孔を形成し、前記孔に遠赤外線ランプを設けて洋便器本体の内部に遠赤外線が照射された構造となっているため、孔の形成過程が困難且つ複雑であるため、製造時間が長引いて製造コストが高騰するという問題があった。
【０００７】
また、前記孔と遠赤外線ランプとの間にパッキンが介装されるが、季節に伴うパッキンの伸縮によりパッキンが損なわれ易いため、これらの隙間に大小便が漏れ、これにより、赤外線ランプが損なわれるという問題がある。
【先行技術文献】
【特許文献】
【０００８】
【特許文献１】大韓民国登録特許公報第１０−０７５５０８４号
【特許文献２】大韓民国実用新案公報第２０−０４２５１７６号
【発明の概要】
【発明が解決しようとする課題】
【０００９】
本発明は、上述したような問題を解決するために案出されたものであって、一方の側面に赤外線発生器が配備される洋便器胴体と、赤外線発生器から照射された赤外線を透過させ得る材質から形成されるが、赤外線が透過される領域を穿孔せずに形成されたボウルと、リム導水管をそれぞれ別々に成形した後、前記洋便器胴体の内部に前記ボウルを結合し、ボウルの結合された洋便器胴体の上部にリム導水管を結合することにより、ボウルを穿孔せずとも赤外線発生器を洋便器に設け易いだけではなく、大小便などの排泄物が赤外線発生器に漏れることを防ぐことのできる赤外線発生器付き洋便器を提供するところにその目的がある。
【００１０】
また、ボウルの内面または外面に赤外線発生物質をコートするか、あるいは、ボウルの成形に際して赤外線発生物質を添加して成形することにより、ボウルの内面に放出される赤外線の放出量を増大させるだけではなく、赤外線の放出が持続的に行われるようにする赤外線発生器付き洋便器を提供するところにその目的がある。
【課題を解決するための手段】
【００１１】
前記目的を達成するために、本発明に係る赤外線発生器付き洋便器は、上部が開放され、一方の側面に赤外線発生器を配備するための開口部１２０が形成される洋便器胴体１００と、前記洋便器胴体１００の内部に結合され、赤外線発生器４００から照射された赤外線を透過させ得る材質からなるが、赤外線発生器４００から照射された赤外線が透過される赤外線透過領域２２０を穿孔せずに形成されるボウル２００と、前記ボウル２００が内部に結合された洋便器胴体１００の上部に結合されるリム導水管３００と、を備え、前記洋便器胴体１００と、ボウル２００及びリム導水管３００は、それぞれ別々に成形した後に一体に組み合わせて形成し、前記洋便器胴体の開口部１２０に赤外線発生器４００が配備されることを特徴とする。
【００１２】
前記ボウル２００の上端の周りには洋便器胴体１００の上部面に係合する第１の折曲げ突起２０１が形成され、前記ボウル２００の下端の周りには、トラップ１１０の上端の内面に形成された段付部１１１に係合する第２の折曲げ突起２０２が形成されることを特徴とする。
【００１３】
前記洋便器胴体１００及びボウル２００の上部に結合されるリム導水管３００の下部の外側には、下部に向かって突出した段差が形成され、前記段差によりリム導水管３００の下部の外側には第１の載置突起３０１が下部に向かって突設され、前記第１の載置突起３０１の外側面は、洋便器胴体１００の外側面と同じ外面として形成されることを特徴とする。
【００１４】
前記洋便器胴体１００及びボウル２００の上部に結合されるリム導水管３００の下部の内側には、下部に向かって突出した第２の載置突起３３０が形成され、前記第２の載置突起３３０の外面は、ボウル２００の上部の内面と接合され、前記第２の載置突起３３０によりリム導水管３００が洋便器胴体１００及びボウル２００を包み込む形状に互いに結合されることを特徴とする。
【００１５】
前記洋便器胴体１００の内部の底面には、ボウル２００を支持する受け台１５０が配備され、前記受け台１５０の上部にボウル２００とトラップ１１０を連結する連結具１６０が配備されることを特徴とする。
【００１６】
前記洋便器胴体１００及びリム導水管３００の接合面の外部の周りには、仕上げ部材７００が取り付けられることを特徴とする。
【００１７】
前記ボウル２００は、赤外線発生器４００から発せられた赤外線が透過される透明または半透明の有色または不透明の有色のうちのどちらか一方から形成されることを特徴とする。
【００１８】
前記ボウル２００に形成された半透明の有色または不透明の有色は、前記ボウル２００の内面または外面に赤外線発生物質をコートして形成されることを特徴とする。
【００１９】
前記ボウル２００に形成された半透明の有色または不透明の有色は、前記ボウル２００の射出成形の際に添加される赤外線発生物質により形成されることを特徴とする。
【００２０】
前記ボウル２００は、ガラス、プラスチック、セラミックスのうちのいずれか一種の材質から形成されることを特徴とする。
【００２１】
前記ボウル２００は、赤外線透過領域２２０と赤外線透過領域２２０を除く領域をボウルの成形過程で一体形に成形するが、前記赤外線透過領域２２０は、赤外線発生器４００から放出される高温の赤外線に耐え得る耐熱性材質から成形し、前記赤外線透過領域２２０を除く領域は、プラスチックまたはセラミックスの材質から成形することを特徴とする。
【００２２】
前記ボウル２００の内部面のうち、赤外線透過領域２２０が形成された領域は平面として形成され、赤外線透過領域２２０を除く領域は、凹状の弧状を呈することを特徴とする。
【００２３】
前記ボウル２００の内部面のうち、赤外線透過領域２２０が形成された領域は、凸状レンズのように凸状に形成され、赤外線透過領域２２０を除く領域は、凹状の弧状を呈することを特徴とする。
【００２４】
前記赤外線発生器４００は、外付けカバー５００の内側に配備され、
前記赤外線発生器４００を内側に備えた外付けカバー５００が開口部１２０に配備されることを特徴とする。
【００２５】
前記外付けカバー５００の外周面には、前記開口部１２０に結合・固定できるように結合手段が配備され、前記開口部１２０の内面には、前記外付けカバー５００の外周面に形成された結合手段に対応する固定手段が配備されることを特徴とする。
【００２６】
前記開口部１２０には固定具６００がさらに配備され、前記固定具６００に、赤外線発生器４００または赤外線発生器４００を内側に備えた外付けカバー５００が嵌合することを特徴とする。
【００２７】
前記外付けカバー５００の外周面には、前記固定具６００に結合・固定できるように結合手段が配備され、前記固定具６００の内面には、前記外付けカバー５００の外周面に形成された結合手段に対応する固定手段が配備されることを特徴とする。
【００２８】
前記結合手段は、前記外付けカバー５００の外周面に嵌合するゴム材質のパッキンまたは前記外付けカバー５００の外周面に突設された複数の突っ張り突起のうちのいずれか一つからなることを特徴とする。
【００２９】
前記結合手段は、締付けねじからなり、前記固定手段は、結合手段の締付けねじ５５０に対応する締付けねじからなることを特徴とする。
【００３０】
前記結合手段は、締結溝からなり、前記固定手段は、結合手段の締結溝に対応する締結突起からなることを特徴とする。
【００３１】
前記結合手段は、磁石部材からなり、前記固定手段は、結合手段の磁石部材に対応する金属部材１２４からなることを特徴とする。
【００３２】
前記結合手段は、所定の深さに形成された複数の嵌入溝と、前記嵌入溝にそれぞれ着脱自在に係合した円筒状のケースと、前記ケースの内部において移動可能なように配設された加圧突起と、前記加圧突起に加えられる衝撃により弾性作用を行うばねと、からなることを特徴とする。
【００３３】
前記固定具６００は、前記ボウル２００の赤外線透過領域２２０の周りを支持する支持部６２０と、前記開口部１２０の周りに係合する段差６１１と、を備えることを特徴とする。
【００３４】
前記固定具６００は、前記開口部１２０の周りに係合する段差６１１を有する係止部６１２が形成された胴体部６１０と、前記胴体部６１０の端部から外側に延出してボウル２００の下部面に面接触される支持部６２０と、を備えることを特徴とする。
【００３５】
前記外付けカバー５００の外側面には、前記固定具６００の外側の端部が嵌合する嵌合溝５２１を有する外縁部５２０が形成されることを特徴とする。
【発明の効果】
【００３６】
本発明に係る赤外線発生器付き洋便器は、洋便器胴体に赤外線を透過させ得る材質からなるボウルを結合し、ボウルの上部にリム導水管を次第に結合する構造となっていることから、ボウルに孔を形成せずとも赤外線発生器の設置作業を行い易いだけではなく、大小便などの排泄物が赤外線発生器に漏れることを防ぐという効果がある。
【００３７】
また、ボウルの内面または外面に赤外線発生物質をコートするか、あるいは、ボウルの成形に際して赤外線発生物質を添加して成形することにより、人体に有益な赤外線の放出量を増大させ、赤外線の放出が持続的に行われるようにして、疾病の治療と予防の効果を向上させるという効果がある。
【図面の簡単な説明】
【００３８】
【図１】本発明に係る赤外線発生器付き洋便器を示す断面図。
【図２】本発明に係る赤外線発生器が内側に配備された外付けカバーの取り外し状態を示す断面図。
【図３】図１のａ部の拡大図。
【図４】図１のｂ部の拡大図。
【図５】本発明に係る赤外線発生器付き洋便器の他の実施の形態を示す断面図。
【図６】図５のｃ部の拡大図。
【図７】本発明に係るボウルを示す断面図。
【図８】本発明に係る外付けカバーの結合状態を示す拡大図。
【図９】本発明に係る外付けカバーと赤外線発生器の分離状態を示す断面図。
【図１０】本発明に係る結合手段及び固定手段の色々な実施の形態を示す例示図。
【図１１】本発明に係る結合手段及び固定手段の色々な実施の形態を示す例示図。
【図１２】本発明に係る結合手段及び固定手段の色々な実施の形態を示す例示図。
【図１３】本発明に係る結合手段及び固定手段の色々な実施の形態を示す例示図。
【図１４】本発明に係る結合手段及び固定手段の色々な実施の形態を示す例示図。
【図１５】本発明に係る結合手段及び固定手段の色々な実施の形態を示す例示図。
【図１６】本発明に係る結合手段及び固定手段の色々な実施の形態を示す例示図。
【図１７】本発明に係る固定具が配備された状態を示す断面図。
【図１８】図１７のｄ部の拡大図。
【図１９】本発明に係る固定具の他の実施の形態を示す断面図。
【図２０】図１９の（ｅ）部の拡大図。
【図２１】本発明に係る外付けカバーの他の実施の形態を示す断面図。
【発明を実施するための形態】
【００３９】
以下、本発明が属する技術分野において通常の知識を有する者が本発明を容易に実施できる程度に詳しく説明するために、本発明の最も好適な実施の形態について詳しく説明する。
【００４０】
図１及び図２に示すように、本発明に係る赤外線発生器付き洋便器は、一方の側面に赤外線発生器４００が配備される洋便器胴体１００と、前記洋便器胴体１００の内部に結合されるボウル２００と、前記ボウル２００が内部に結合された洋便器胴体１００の上部に結合されるリム導水管３００と、を備える。
【００４１】
特に、本発明に係る赤外線発生器付き洋便器は、前記洋便器胴体１００と、ボウル２００及びリム導水管３００は、それぞれ別々に成形された後に一体に組み合わされる。
【００４２】
通常の洋便器は、便器カバーを除く残りの部分は陶器から製造され、洋便器胴体にトラップ、ボウル及びリム導水管などが一体に成形される。このような構造により、洋便器に赤外線発生器を設けるためには、洋便器胴体とボウルに孔を形成することになる。しかし、孔の形成過程が困難且つ複雑であり、孔と赤外線発生器との間の隙間に大小便などの排泄物が漏れる虞がある。
【００４３】
これを防ぐために、本発明は、一方の側面に赤外線発生器を備えるための開口部１２０が形成される洋便器胴体１００の内部には、赤外線発生器４００から照射された赤外線を透過させ得る材質からなるが、赤外線発生器４００から照射された赤外線が透過される赤外線透過領域２２０を穿孔せずに形成されるボウル２００が結合され、前記ボウル２００が内部に結合された洋便器胴体１００の上部の周りに沿ってリム導水管３００が結合され、前記赤外線発生器４００は、前記洋便器胴体１００に形成された開口部１２０に嵌合する。
【００４４】
本発明は、前述したような洋便器の結合構造により、ボウル２００に孔を形成せずとも赤外線発生器４００の設置作業を行い易いだけではなく、大小便などの排泄物が赤外線発生器４００に漏れることを防ぐことができる。
【００４５】
前記洋便器胴体１００の内部には、ボウル２００の排水孔２１０と連絡されるトラップ１１０が形成される。
【００４６】
また、前記洋便器胴体１００には、水が貯えられる水槽１３０が配備され、前記ボウル２００から排出される排泄物は、トラップ１１０を介して排水口１４０に排出される。
【００４７】
図３及び図４に示すように、前記ボウル２００の上端の周りには、水平方向に延びて折り曲げられた第１の折曲げ突起２０１が形成され、前記ボウル２００の下端の周りには、垂直方向に延びて折り曲げられた第２の折曲げ突起２０２が形成される。
【００４８】
前記第１の折曲げ突起２０１は、前記洋便器胴体１００の上部面に係合し、前記第２の折曲げ突起２０２は、後述するトラップ１１０の上端の内面に形成された段付部１１１に係合する。
【００４９】
このとき、前記第２の折曲げ突起２０２は、トラップ１１０の上部の内面と同じ垂直面をなす。このために、前記第２の折曲げ突起２０２の厚さは、段付部１１１の広さに等しく形成される。
【００５０】
前記洋便器胴体１００の内部に形成されたトラップ１１０の上端の内面には、ボウル２００の第２の折曲げ突起２０２が係合する段付部１１１が形成される。
【００５１】
このように、前記段付部１１１を形成することにより、前記ボウル２００の下端がトラップ１１０の上端に正確に結合することが可能になり、このような結合により、ボウル２００のトラップ１１０への密着力がさらに緊密になり、ボウル２００とトラップ１１０との間の平滑度が均一になる。
【００５２】
前記洋便器胴体１００の上部面と第１の折曲げ突起２０１との間、及び前記段付部１１１と第２の折曲げ突起２０２との間には、接着剤を塗布してもよい。
【００５３】
前記接着剤による接着力を用いて、前記第１の折曲げ突起２０１を洋便器胴体１００の上部面に強固に固定することができ、第２の折曲げ突起２０２を段付部１１１に強固に固定することができる。前記接着剤としては、エポキシ接着剤を用いることが好ましく、これと均等な接着力を発揮する対象に置き換え・変更してもよい。
【００５４】
前記リム導水管３００の下部には、外側が下部に向かってさらに突出した段差が形成されるが、前記段差により、リム導水管３００の下部の外側には、第１の載置突起３０１が下部に向かって突設される。
【００５５】
このとき、前記リム導水管３００の第１の載置突起３０１の外側面は、洋便器胴体１００の外側面と同じ外面として形成されることが好ましい。
【００５６】
前記リム導水管３００の第１の載置突起３０１は、下部面が前記洋便器胴体１００の上部面に載置され、前記リム導水管３００の第１の載置突起３０１の内側に形成された垂直面３０２は、ボウル２００の第１の折曲げ突起２０１の外側面と結合されるように形成される。
【００５７】
また、リム導水管３００の第１の載置突起３０１以外の下部面は、ボウル２００の第１の折曲げ突起２０１の上部面に載置される載置面３１０が形成され、載置面の内側には、リム導水管３００に連通された排出孔３２０が形成される。
【００５８】
すなわち、前記リム導水管３００の第１の載置突起３０１は、洋便器胴体１００の上部面に載置され、前記リム導水管３００の載置面３１０は、ボウル２００の上部面に載置され、リム導水管３００の第１の載置突起３０１及び載置面３１０によりボウル２００の第１の折曲げ突起２０１が包み込まれる形状に互いに結合され、このような結合により、結合された部分の強度が高くなり、局部的に生じるひずみを防ぐことが可能になる。
【００５９】
特に、前記リム導水管３００に形成された排出孔３２０は、載置面３１０から内側に離れた位置に形成される。これは、前記排出孔３２０を介して排出される洗浄水がボウル２００の内面に沿って流れるようにするためである。
【００６０】
一方、前記リム導水管３００の垂直面３０２とボウル２００の第１の折曲げ突起２０１の上部面との間にはシール部材が介装されてもよく、前記シール部材を介してリム導水管３００を第１の折曲げ突起２０１の外面に結合する場合、密着力を向上させる。
【００６１】
このような密着力の向上は、リム導水管３００とボウル２００との間に水が浸透することを防ぐという効果がある。
【００６２】
さらに、前記洋便器胴体１００の段付部１１１とボウル２００の第２の折曲げ突起２０２との間にもシール部材が介装されてもよい。
【００６３】
前記シール部材は、水膨張ゴムからなってもよく、水膨張ゴムは、一般に、水と接触されるときにイオンの移動が生じて浸透圧及び密度が減少するという特性とともに、吸収すればイオンの押し退けによりそれの容積が膨張し、乾燥された後には元の状態に戻るという性質を有する。
【００６４】
このように、水膨張ゴムは、吸水後に容積が膨張するので、隙間などに用いれば、隙間が十分に充填されてそこから浸透される水を遮断して漏水防止の効果が抜群である。
【００６５】
前記水膨張ゴムとしては、天然ゴム及び／又はブタジエンゴム（ＢＲ：Ｂｕｔａｄｉｅｎ  Ｒｕｂｂｅｒ）、スチレンブタジエンゴム（ＳＢＲ：Ｓｔｙｒｅｎｅ  Ｂｕｔａｄｉｅｎ  Ｒｕｂｂｅｒ）などの合成ゴム、加硫剤、バックカーボン、硫酸バリウムを含めて製造したものが使用可能である。
【００６６】
図５及び図６は、本発明に係る赤外線発生器付き洋便器の他の実施の形態であって、前記洋便器胴体１００の内部にボウル２００を結合し、前記洋便器胴体１００及びボウル２００の上部に結合されるリム導水管３００の下部の内側には下部に向かって突出した第２の載置突起３３０が形成された構造である。
【００６７】
ここで、上述した前記ボウル２００の上端の周りに水平方向に延びて折り曲げられた第１の折曲げ突起２０１の形成を省略してもよい。
【００６８】
前記リム導水管３００の第２の載置突起３３０の外面は、ボウル２００の上部の内面と接合され、前記第２の載置突起３３０により洋便器胴体１００及びボウル２００をリム導水管３００が包み込む形状に互いに結合され、このような結合により、結合された部分の強度が高くなり、局部的に生じるひずみを防ぐことができる。
【００６９】
さらにまた、前記リム導水管３００の第２の載置突起３３０には排出孔３２０が形成されてもよく、前記排出孔３２０を介して排出される洗浄水がボウル２００の内面に沿って流れるようにすることができる。
【００７０】
しかし、前記排出孔３２０は、導水管３００の第２の載置突起３３０に形成してもよいが、これに何ら限定されるものではなく、前記リム導水管３００の第２の載置突起３３０をリム導水管３００の下部の内側の端部から外側に離間させて突設した後、排出孔３２０をリム導水管３００の第２の載置突起３３０の内側のリム導水管３００の下部に形成して、前記排出孔３２０を介して排出される洗浄水が第２の載置突起３３０の内側に沿って流れていて、前記ボウル２００の内面に沿って流れるようにすることができる。
【００７１】
これにより、リム導水管３００とボウル２００との間に水が浸透した後、洋便器胴体１００とボウル２００との間に水が浸透することを防ぐという効果がある。
【００７２】
一方、前記洋便器胴体１００の内部の底面には、ボウル２００を支持する受け台１５０が配備されてもよい。なお、前記受け台１５０の上部に、ボウル２００とトラップ１１０を連結する連結具１６０が配備されてもよい。
【００７３】
前記受け台１５０は、前記洋便器胴体１００の内部の底面に配備される構成要素であって、前記連結具１６０を洋便器胴体１００の底面から離間させて据え置く役割を果たす。
【００７４】
前記連結具１６０は、前記受け台１５０の上部に据え置かれる構成要素であって、上部は前記ボウル２００の排水孔２１０と連通され、一方の側面は前記トラップ１１０と連通される。
【００７５】
前記受け台１５０及び連結具１６０は、洋便器胴体１００を成形するとき、洋便器胴体１００と一体に成形してもよく、あるいは、洋便器胴体１００とは別途に成形して組み合わせてもよい。
【００７６】
本発明に係る前記洋便器胴体１００及びリム導水管３００の接合面の外部の周りには、仕上げ部材７００を取付け可能なように溝部７１０が形成されてもよい。
【００７７】
これは、前記洋便器胴体１００とリム導水管３００の外部の接合面を仕上げ部材７００を用いて仕上げることにより、洋便器の見栄えをよくするという効果がある。
【００７８】
前記仕上げ部材７００は、金箔または銀箔または飾り用の帯のうちのいずれか一つから形成してもよいが、これに何ら限定されるものではなく、溝部７１０に仕上げ部材７００を塗布してメッキ層として形成してもよい。
【００７９】
本発明に係るボウル２００は、赤外線発生器４００から照射された赤外線、特に、赤外線の光線及び熱が透過可能な材質からなり、使用者が赤外線発生器４００から照射された赤外線の光線及び熱が透過されることを目視及び皮膚で確認可能なガラス、プラスチック、セラミックスなど種々の材質から選んで形成してもよい。
【００８０】
また、ボウル２００の赤外線透過領域２２０のみを赤外線発生器４００から照射された赤外線の光線及び熱が透過可能な材質から形成し、赤外線透過領域２２０を除く領域は、別の材質から形成してもよい。
【００８１】
一方、前記ボウル２００は、赤外線発生器４００から照射された赤外線が透過される透明または半透明の有色または不透明の有色のうちのどちらか一方から形成されてもよい。
【００８２】
ここで、赤外線発生器４００から照射された赤外線の透過とは、赤外線発生器４００から照射された赤外線の光線及び熱が透過されることを意味し、これを使用者が目視及び皮膚で確認できればよい。
【００８３】
さらに、ボウル２００の半透明の有色または不透明の有色は、赤外線発生器から発せられた赤外線の光線及び熱がボウル２００の内部空間に透過可能な色であればよいが、本発明では、赤外線の光線及び熱がさらに透過され易い色を適用することが好ましく、製造されたボウル２００の内部または外部に赤外線が透過される色をコートして形成してもよく、あるいは、ボウル２００の材料であるガラス、プラスチック、セラミックスなどに赤外線が透過される色を混合してボウル２００を製造することにより形成してもよく、必ずしもこれに限定されることはなく、種々の方法を適用して形成してもよい。
【００８４】
具体的に、前記ボウル２００の半透明の有色または不透明の有色は、製造されたボウル２００の内面または外面に赤外線発生物質をコートすることにより形成されてもよい。
【００８５】
すなわち、ボウル２００の内面または外面の上に赤外線発生物質の粉末をまんべんなく分布させた状態でコート塗料を塗布して、赤外線発生物質の粉末をボウル２００の内面または外面の上に固定してもよく、あるいは、コート塗料に赤外線発生物質の粉末を添加・混合してボウルの内面または外面の上にコートしてもよい。このとき、赤外線発生物質のコート方法としては、ディップコート、スプレイコート、ロールコートなどの種々の方法が適用可能である。
【００８６】
他の実施の形態によれば、前記ボウル２００の半透明の有色または不透明の有色は、前記ボウル２００の射出成形の際に添加される赤外線発生物質により形成されてもよい。
【００８７】
すなわち、作製されたモールドを用いてボウル２００を成形する過程で、ガラス、プラスチック、セラミックスのうちのいずれか一種の材料とともに人体に有益な赤外線を放出する赤外線発生物質をさらに添加して成形してもよい。
【００８８】
前記赤外線発生物質は、トルマリン、イライト、石英、硅砂、金剛石、火山石、赤鐵石、方解石、セリサイト、黒雲母、黄土、麥飯石、玉及び炭よりなる群から選ばれるいずれか１種または２種以上の原料が混合されてなるが、これに何ら限定されるものではなく、赤外線を放出する物質であればよい。
【００８９】
このように、本発明は、ボウル２００にコートまたは添加される赤外線発生物質を用いて、赤外線発生器４００とともに多量の赤外線を放出し続けて便器の周りの細菌の繁殖を防ぐだけではなく、人体に有益な赤外線の放出量を大幅に増大させるという効果がある。
【００９０】
そして、ボウル２００を除く前記洋便器胴体１００のすべての領域は、半透明の有色または不透明の有色に形成され、同領域は、ボウル２００と同様に、ガラス、プラスチック、セラミックスのうちのいずれか１種の材質から形成してもよく、ボウル２００とは異なり、ガラス、プラスチック、セラミックス、陶器など様々な材質から形成してもよい。
【００９１】
ここで、洋便器胴体１００に形成される半透明の有色または不透明の有色とは、ボウル２００の内部に一時的に収容される排泄物が洋便器の外部から視認されないほどの色を意味し、赤外線の透過可能な色であってもよく、赤外線の透過を制限する色であってもよい。
【００９２】
かような洋便器胴体１００に形成される半透明の有色または不透明の有色は、種々の色に形成されてもよく、種々の色により洋便器の外観が種々の色に形成可能であり、種々の色に形成された洋便器の外観により美的な効果が多様化でき、且つ、ボウル２００の内部に一時的に収容される排泄物が洋便器の外部から視認されないようにする効果も奏することができる。
【００９３】
一方、前記ボウル２００の一方の側には、ボウル２００を穿孔しなかった状態で赤外線透過領域２２０が形成される。
【００９４】
前記赤外線透過領域２２０は、ボウル２００を穿孔せずに形成されるが、これは、赤外線発生器４００を配備するためにボウル２００を穿孔することにより生じる、ボウル２００の内部に収容される排泄物がボウル２００に形成された孔の隙間を介して漏れて洋便器が汚れるといった非衛生的な問題と、排泄物の漏れにより生じる赤外線発生器４００の故障及び誤作動などの問題を解決するためである。
【００９５】
すなわち、ボウル２００を穿孔せずに赤外線発生器を洋便器に配備することによりボウル２００の内部に収容される排泄物が漏れて洋便器を汚すという非衛生的な問題が防がれるだけではなく、排泄物の漏れにより赤外線発生器の故障及び誤作動などの問題が防がれるという効果を奏する。
【００９６】
本発明は、図７に示すように、前記ボウル２００は、ボウル２００の成形に際して、赤外線発生器４００から放出された赤外線が透過可能な赤外線透過領域２２０を穿孔せずに、赤外線透過領域２２０と赤外線透過領域を除く残りの領域を一体形に成形するが、前記赤外線透過領域２２０は、赤外線発生器から放出される高温の熱に耐え得る耐熱性の材質から形成し、赤外線透過領域２２０を除く領域をプラスチックまたはセラミックス材質から形成してもよい。
【００９７】
赤外線発生器付き洋便器のボウル２００は、赤外線発生器４００から放出される高温の赤外線によりひずみが起こらないながらも、高温の赤外線に耐え得なければならず、赤外線の透過の際に赤外線の透過率が下がらないように製造されることが最も好ましい。
【００９８】
しかしながら、ボウル２００をプラスチック材質から製造する場合、製造し易く、製造中の不良品の発生率が低い他、運搬の際に破損される可能性が低いので運び易いというメリットはあるものの、赤外線発生器４００から放出された高温の赤外線によりひずみが起こる可能性があり、赤外線発生器４００から放出された赤外線の一部がボウル２００の赤外線透過領域２２０を通過するときに吸収されて赤外線の透過率が低くなってボウル２００の内部空間に放出される赤外線の放出量が減るという欠点がある。
【００９９】
これに対し、ボウル２００を、赤外線発生器４００から放出される高温の赤外線に耐えることができ、且つ、ひずみが起こらない他、赤外線の透過率が下がらない耐熱ガラス及び強化ガラスなどから製造する場合、ボウル２００の製造に高度の技術力が求められるだけではなく、ボウル２００が一様に製造されないため不良品の発生率が高く、運搬の際に注意を払わなければならないという欠点がある。
【０１００】
このような問題を解決するために、ボウル２００の赤外線透過領域２２０を耐熱ガラスまたは強化ガラスなどのように赤外線発生器４００から放出される高温の赤外線に耐え得る耐熱性材質から形成し、赤外線透過領域２２０を除く領域をプラスチックまたはセラミックス材質から形成するが、ボウル２００の成形に際して赤外線透過領域２００と赤外線透過領域２２０を除く領域を一体形に成形することにより、赤外線発生器４００から放出される高温の赤外線によりひずみが起こらないボウル２００を製造することが可能になり、赤外線発生器４００から放出される赤外線が赤外線透過領域２２０を通過するときに赤外線透過の減少があまり見られないボウル２００を手軽に製造することが可能になる。
【０１０１】
このとき、ボウル２００の赤外線透過領域２２０を形成する耐熱性材質としては、耐熱ガラス、または強化ガラス、または水晶、または赤外線が透過可能なセラミックスが採用可能であるが、これに何ら限定されるものではなく、赤外線発生器４００から放出される高温の赤外線によりひずみがあまり見られず、且つ、安定的に赤外線を透過し、赤外線の透過の際に赤外線の透過率のロスが少ない様々な材質に置き換えて形成してもよい。
【０１０２】
一方、前記赤外線透過領域２２０は、平面として形成し、前記赤外線透過領域２２０を除く領域は、凹状の弧状に形成してもよい。
【０１０３】
すなわち、排泄物を一時的に収容するボウル２００の内部面が凹状の弧状を呈するので
、赤外線発生器から発せられた赤外線がボウル２００の内部に照射されるとき、赤外線透過領域２２０を通過する赤外線は発散することになる。このような赤外線の発散を防ぎ、赤外線が使用者の使用部位（肛門、尻部など）に照射できるようにするために、赤外線透過領域２２０を平面として形成するのである。
【０１０４】
他の実施の形態によれば、前記赤外線透過領域２２０は、凸状レンズのように凸状に形成され、前記赤外線透過領域２２０を除く領域は、凹状の弧状を呈してもよい。これは、赤外線透過領域２２０が形成されたボウル２００の内部面を凸状レンズのように凸状に形成することにより、赤外線発生器４００から発せられる赤外線が使用者の使用部位（肛門、尻部など）に集中して照射できるようにするためである。
【０１０５】
一方、前記ボウル２００の赤外線透過領域２２０に対応する前記洋便器胴体１００の一方の側面には、赤外線発生器４００を嵌入できるように開口部１２０が形成される。したがって、前記開口部１２０を介して赤外線発生器４００が洋便器胴体１００に結合可能である。
【０１０６】
図８に示すように、前記開口部１２０には、赤外線発生器４００または赤外線発生器４００が内側に配備された外付けカバー５００が結合される。
【０１０７】
前記外付けカバー５００の内側には赤外線発生器４００が配備され、赤外線発生器４００が内側に配備された外付けカバー５００が開口部１２０に結合されることにより、赤外線発生器４００が外部に露出されないように覆い被せられ、見栄えもよくする。
【０１０８】
従来の赤外線発生器付き洋便器は、ほとんどがブラケットもしくはケースを用いて赤外線発生器を保護するように構成されているが、赤外線発生器はもとより、これを保護するブラケット若しくはケースが洋便器胴体の外部に露出されるような構造となっている。したがって、露出部分に予期しない外力が頻繁に加えられる虞があり、これにより、赤外線発生器４００が破損される可能性が高く、電源供給の短絡による故障などの問題を引き起こす虞があり、その結果、製品の信頼性が低下するという問題があった。
【０１０９】
このような問題を解決するために、本発明は、洋便器胴体１００の外部に赤外線発生器４００が露出されないように外付けカバー５００により収容・保護されることにより、外部の要因から赤外線発生器４００の破損を防ぐことはもとより、高級感あふれる美麗な外観を与えることが可能になる。
【０１１０】
図９に示すように、前記外付けカバー５００は、赤外線発生器４００のランプ４１０が載置される半球状のランプ載置溝５１１ａと、前記ランプ載置溝５１１ａの一方の側に連通形成されて赤外線発生器４００のソケット４２０が係合するソケット係合溝５１１ｂ及び前記ソケット係合溝５１１ｂの一方の側に連通形成されて電線４３０が引き出される電線引出孔５１１ｃを備える。
【０１１１】
従来には、赤外線発生器を設けるために、別途のブラケット、放熱キャップ、固定リブなどが用いられ、これをボルト及びナットを用いて固定するため、設置方法が複雑であり、しかも、設置後にはブラケットが洋便器の外部に露出されて見栄えがよくなかった。
【０１１２】
このような問題を解決するために、本発明は、前記外付けカバー５００の内側に赤外線発生器４００を配備することにより、洋便器に配備される赤外線発生器の結合構造を単純化させて部品点数を減らし、メンテナンスが行われ易くなるというメリットを有することになる。
【０１１３】
一方、前記外付けカバー５００の外周面には、前記開口部１２０に結合・固定できるように結合手段が配備されてもよい。
【０１１４】
図１０は、結合手段の一実施の形態を示すものであり、前記結合手段は、前記外付けカバー５００の外周面に嵌合するゴム材質のパッキン５３０からなる。これは、前記開口部１２０に外付けカバー５００を結合する場合、外付けカバー５００の位置を固定して外部への離脱を防ぐためである。
【０１１５】
図１１は、結合手段の他の実施の形態を示すものであって、前記結合手段は、前記外付けカバー５００の外周面に突設された複数の突っ張り突起５４０からなってもよい。
【０１１６】
すなわち、前記外付けカバー５００の外周面に複数の突っ張り突起５４０が形成されているので、外付けカバー５００を前記開口部１２０に強固に固定して離脱を防ぐことが可能になる。
【０１１７】
一方、前記開口部１２０の内面には、前記外付けカバー５００の外周面に形成された結合手段に対応する固定手段が配備されてもよい。このような結合手段及び固定手段は、種々の構造に形成可能である。
【０１１８】
図１２に示すように、前記固定手段は、前記開口部１２０の内面に突設された複数の突っ張り突起１２１からなってもよい。
【０１１９】
前記外付けカバー５００に形成された突っ張り突起５４０は、製品の設計または製造の条件に応じて省略されてもよく、この代わりに、前記開口部１２０の内面に突っ張り突起１２１が形成されてもよい。
【０１２０】
図１３（ａ）は、結合手段及び固定手段のさらに他の実施の形態であって、前記結合手段は、前記外付けカバー５００の外周面に形成される締付けねじ５５０からなり、前記固定手段は、結合手段の締付けねじ５５０に対応して開口部１２０の内面に形成される締付けねじ１２２からなってもよい。
【０１２１】
したがって、前記開口部１２０の内面に形成された締付けねじ１２２に前記外付けカバー５００の外周面に形成された締付けねじ５５０が締め付けられることにより、外付けカバー５００の結合及び取外しを行い易くする。
【０１２２】
前記開口部１２０に形成された締付けねじ１２２と外付けカバー５００に形成された締付けねじ５５０は、製品の設計または製造の条件に応じて、互いに置き換えて形成してもよい。
【０１２３】
図１３（ｂ）は、結合手段及び固定手段のさらに他の実施の形態であって、前記結合手段は、前記外付けカバー５００の外周面の端部に形成される複数の締結溝５６０からなり、前記固定手段は、結合手段の締結溝５６０に対応して開口部１２０の内面に形成される締結突起１２３からなってもよい。
【０１２４】
したがって、前記開口部１２０の内面に複数形成された締結突起１２３に外付けカバー５００の外周面の端部に形成された締結溝５６０が係合することにより、外付けカバー５００の結合及び取外しを行い易くする。
【０１２５】
前記開口部１２０に形成された締結突起１２３と外付けカバー５００に形成された締結溝５６０は、製品の設計または製造の条件に応じて、互いに置き換えて形成してもよい。
【０１２６】
図１４は、結合手段及び固定手段のさらに他の実施の形態であって、前記結合手段は、前記外付けカバー５００の外周面に配備された磁石部材５７０からなり、前記固定手段は、結合手段の磁石部材５７０に対応して前記開口部１２０の内面に配備される金属部材１２４からなってもよい。
【０１２７】
すなわち、前記開口部１２０の内面に金属部材１２４が配備され、外付けカバー５００の外周面に磁石部材５７０が配備されているので、外付けカバー５００を前記開口部１２０に結合する場合、磁石部材５７０が金属部材１２４に磁力によりくっつきながら、外付けカバー５００を強固に固定して離脱を防ぐ。
【０１２８】
図１５は、結合手段及び固定手段のさらに他の実施の形態であって、前記結合手段は、前記外付けカバー５００の外周面に所定の深さに形成された複数の嵌入溝５８１と、前記嵌入溝５８１にそれぞれ着脱自在に結合された円筒状のケース５８２と、前記ケース５８２の内部において移動可能なように配設された加圧突起５８３と、前記加圧突起５８３に加えられる衝撃により弾性作用を行うばね５８４と、からなってもよい。
【０１２９】
すなわち、前記外付けカバー５００を前記開口部１２０の内面に弾性結合方式により着脱自在に結合してもよい。具体的に、前記ケース５８２の内部に移動自在に配設された加圧突起５８３をばね５８４が弾持しているので、外付けカバー５００を前記開口部１２０に結合する場合、ばね５８４が加圧突起５８３に持続的に弾性力を与え続けながら、外付けカバー５００を強固に固定して離脱を防ぐ。
【０１３０】
一方、図１６に示すように、前記外付けカバー５００の外周面に配備された結合手段（嵌入溝、ケース、加圧突起及びばね）は、製品の設計または製造の条件に応じて省略されてもよく、この代わりに、前記開口部１２０の内面に嵌入溝、ケース、加圧突起及びばねを含めた弾持体１２５が形成されてもよい。
【０１３１】
このように、外付けカバー５００の様々な結合方式を用いて、外付けカバー５００の結合及び取外しの時間を短縮することができ、外付けカバー５００の結合及び取外しのために別途のツールが不要であり、小さな力で手軽に結合及び取外しを行うことができる。
【０１３２】
図１７から図２０に示すように、前記開口部１２０には、赤外線発生器４００または赤外線発生器４００を内側に備えた外付けカバー５００が嵌合する固定具６００が配備されていてもよい。
【０１３３】
前記固定具６００は、洋便器胴体１００の開口部１２０に固定具６００の一方の側が引っかかるように嵌入し、他方の側が洋便器胴体１００の内部に結合されるボウル２００を支持するような構造を有することにより、別途の締結手段なしに固定具６００を洋便器胴体１００に結合することができ、固定具６００の位置もまた簡単に固定することが可能になる。
【０１３４】
これにより、固定具６００がボウル２００を安定的に支持しながら、別途の締結手段なしに洋便器胴体１００に結合することが可能になる。
【０１３５】
このような固定具６００は、筒状に形成されるが、円形状、楕円状、多角形状のうちのいずれか一種の形状に形成され、これらに何ら限定されず、種々の形状に形成可能である。
【０１３６】
前記固定具６００には赤外線発生器４００が嵌合するので、赤外線発生器４００の結合及び取外しを行い易いように、ボウル２００の外側に下向きに傾くように配置されることが好ましい。
【０１３７】
また、前記固定具６００は、赤外線発生器４００から照射された赤外線がボウル２００の赤外線透過領域２２０を透過して洋便器に着座した使用者の使用部位（肛門、尻部など）に照射できるように下向きに傾くように形成されるが、赤外線発生器４００または外付けカバー５００に対応する形状に形成される。
【０１３８】
前記固定具６００は、図１７及び図１８に示すように、前記ボウル２００の赤外線透過領域２２０の周りを支持するように形成された支持部６２０と、前記洋便器胴体１００の開口部１２０の周りに結合できるように固定具６００の外側に形成された段差６１１と、を備えてなってもよい。
【０１３９】
すなわち、前記固定具６００は、前記固定具に形成された支持部６２０を介して前記ボウル２００の赤外線透過領域２２０の周りを支持するが、面接触でボウル２００の下面面を支持し、前記固定具６００の外側に形成された段差６１１により前記洋便器胴体１００の開口部１２０の周りに前記固定具６００が掛合するのである。
【０１４０】
さらに、前記固定具６００は、図１９及び図２０に示すように、前記洋便器胴体１００の開口部１２０の周りに係合する段差６１１を有する係止部６１２が形成された胴体部６１０と、前記胴体部６１０の端部から外側に延出してボウル２００の下部面に面接触される支持部６２０と、を備えるように構成されてもよい。
【０１４１】
このような固定具６００は、段差６１１を有する係止部６１２が形成されるような構造により、洋便器胴体１００の開口部１２０への結合が行われ易いというメリットがあるものの、結合力がやや足りないことがある。このため、本発明は、前記固定具６００の他方の側がボウル２００の赤外線透過領域２２０の周りを面接触で支持しながら、その支持力により洋便器胴体１００との結合力と結合し易さを両立させることが可能になるのである。
【０１４２】
前記支持部６２０は、前記胴体部６１０の直径よりも大きな直径に形成され、前記ボウル２００の外面に対応する曲面の形状と同様に形成されることが好ましい。
【０１４３】
一方、前記固定具６００には、前記開口部１２０に配備されていた固定手段と同じ固定手段が配備され、前記固定具６００に嵌合する外付けカバー５００にも、前記固定具６００に配備された固定手段に対応する結合手段が配備され、結合手段としては、前記開口部１２０に結合される外付けカバー５００に配備されていた結合手段と同じ結合手段が配備される。
【０１４４】
したがって、外付けカバー５００に配備された結合手段と固定具６００に配備された固定手段により、外付けカバー５００が固定具６００に着脱自在に結合可能になる。
【０１４５】
一方、図２１に示すように、前記外付けカバー５００の外側面には、前記固定具６００の外側の端部が嵌合する嵌合溝５２１を有する外縁部５２０が形成される。
【０１４６】
したがって、前記外縁部５２０により外部に露出された固定具６００の外側を覆い被せることにより、見栄えをよくすることができる。
【０１４７】
このとき、前記固定具６００には固定手段が配備され、前記外付けカバー５００の外縁部５２０には結合手段が配備されてもよく、前記固定手段と結合手段により固定具６００の外側の端部が外付けカバー５００の嵌合溝５２１に嵌合することになる。
【産業上の利用可能性】
【０１４８】
本発明に係る赤外線発生器付き洋便器は、人体に有益な赤外線を放出し続けるようにして、疾病の治療と予防の効果を提供するのに大きく寄与することができる。
【図１】
2021523989.tif 000003
【図２】
2021523989.tif 000004
【図３（ａ）】
2021523989.tif 000005
【図３（ｂ）】
2021523989.tif 000006
【図４（ａ）】
2021523989.tif 000007
【図４（ｂ）】
2021523989.tif 000008
【図５】
2021523989.tif 000009
【図６】
2021523989.tif 000010
【図７（ａ）】
2021523989.tif 000011
【図７（ｂ）】
2021523989.tif 000012
【図８】
2021523989.tif 000013
【図９】
2021523989.tif 000014
【図１０】
2021523989.tif 000015
【図１１】
2021523989.tif 000016
【図１２】
2021523989.tif 000017
【図１３（ａ）】
2021523989.tif 000018
【図１３（ｂ）】
2021523989.tif 000019
【図１４】
2021523989.tif 000020
【図１５】
2021523989.tif 000021
【図１６】
2021523989.tif 000022
【図１７】
2021523989.tif 000023
【図１８】
2021523989.tif 000024
【図１９】
2021523989.tif 000025
【図２０】
2021523989.tif 000026
【図２１】
2021523989.tif 000027
【国際調査報告】
2021523989.tif 000028
2021523989.tif 000029
2021523989.tif 000030
2021523989.tif 000031
2021523989.tif 000032
2021523989.tif 000033